(57)【要約】【課題】  この考案は、車や人の通行により表面の突部が摩耗し取り替えるべき時期になったことを容易に目で確認できる突部を表面に設けた地下構造物の蓋を提供する。【課題手段】  地下構造物の蓋の表面に、高さが他の一般の突部と同じである台形であって、水平の頂面２に凹部３または溝を設けた突部１、または、水平の頂面が底面の形状と非相似形の突部を、前記一般の突部の間に混ぜて設け、その上を車や人の通行で蓋の表面の摩擦の進行により、突部の頂面が摩耗して変形する。この摩耗変形は、凹部２、溝を設けた突部１の場合には、凹部２、溝が順次浅くなり、遂には消滅する変化し、頂面が底面の形状と非相似形の突部の場合には、頂面形状が磨耗により変形し、遂には底面形状の相似形に近づく変化をする。この変化を目で観察することにより、蓋の取り替え時期を知ることを可能とする。【選択図】    図１
0003102979.tif 000002
【実用新案登録請求の範囲】
【請求項１】
地下構造物の蓋の表面に、高さが一般の突部と同じである台形であって、水平の頂面に凹部を設けてなる突部を、前記一般の突部に介在して設けてなり、車または人の通行による前記蓋の表面の摩耗の進行により、前記突部の頂面が摩耗して前記凹部が順次浅くなり、遂には前記凹部が消滅する変化を確認することにより、蓋の取り替え時期を知ることのできる地下構造物の蓋。
【請求項２】
地下構造物の蓋の表面に、高さが一般の突部と同じである台形であって、水平の頂面にその周縁で開口する溝を設けてなる突部を、前記一般の突部に介在して設けてなり、車または人の通行による前記蓋の表面の摩耗の進行により、前記突部の頂面が摩耗して前記溝の深さが順次浅くなり、ついには前記溝が消滅する変化を確認することにより、蓋の取り替え時期を知ることのできる地下構造物の蓋。
【請求項３】
地下構造物の蓋の表面に、高さが一般の突部と同じである台形であって、水平の頂面の形状が底面の形状と非相似形の台形の突部を、前記一般の突部に介在して設けてなり、車または人の通行による前記蓋の表面の摩耗の進行により、前記突部の頂面が摩耗して前記頂面の形状が変化して順次底面形状に近づき、遂には底面形状とぼぼ相似形の形状になる変化を確認することにより、蓋の取り替え時期を知ることのできる地下構造物の蓋。
【考案の詳細な説明】
【技術分野】
【０００１】
この考案は地下構造物の蓋の摩耗度による蓋の取り替え時期を確認するための突部を設けた蓋に関するものである。
なお、本願における「地下構造物の蓋」とは、下水道における地下埋設物、地下構造施設等と地上とを通ずる開口部を閉塞するマンホール蓋、大型鉄蓋、汚水升蓋、電力・通信における地下施設機器や地下ケーブル等を保護する開閉可能な共同溝用鉄蓋、放電用鉄蓋、配電用鉄蓋、上水道や瓦斯配管における路面下の埋設導管およびその附属機器と地上とを結ぶ開閉扉として機能を有する消火栓用蓋、節水弁蓋、仕切弁蓋、空気弁蓋、瓦斯配管用蓋、量水器蓋等を総称する。以下「地下構造物の蓋」を単に蓋と言う。
【背景技術】
【０００２】
従来、蓋の表面には、滑り止めのために多数の突部を設けている。
その蓋の上を車や人が通行している間に、それらの突部が摩耗して行き、滑り止め効果が失われて危険である。そこで滑り止め効果が低下して新しい蓋と取り替えるための目安として、特許文献１に記載の蓋では、突部の上に小突部を形成し、一部の突部では、小突部を他の突部の小突部よりも長さを長くし、しかも、小突部の頂面の高さは他の突部の頂面の高さと同一にした変形突部を設けている。従って、基部の突部は他の突部の基部の高さよりも低くなっている。
この蓋の表面の小突部が摩耗して来ると、普通の突部の小突部が磨耗した状態では、変形突部の小突部が少し残っている。その状態を確認することにより、蓋の取り替え時期を確認する。
【特許文献１】特許第２８７８６６３号公報（００５２〜００５６、図１０）
【考案の開示】
【考案が解決しようとする課題】
【０００３】
上記従来の蓋では、普通の突部の小突部と変形突部の小突部が一様に摩耗することを前提ししているが、小突部の径が同じで、変形突部の小突部の方が普通の突部よりも長いので、車や人の重力が変形突部の小突部の方が強く作用し、摩耗度が強いので、製造者が予測するように、普通の突部の小突部が摩耗して無くなった時に変形突部の小突部が一部残っているとは限らず、蓋の取り替えの目安としては、不確実なものである。
また、特許文献１の明細書（００３６）にも記載されているように、突部の高さは６ｍｍ以内で、その高さで小突部と台部とに分け、その上に更に小突部の高さに差を設けるのであるから、その差は微妙なもので、摩擦度の差の確認は難しい。
更に、蓋の表面の多数の突部に全て小突部を設けることは、金型製作に手数、費用を多く必要とする。一般の突部と共に、長さの違う小突部のある変形突部を設けるためには更に金型製作に手数、費用を多く必要とする。
【課題を解決するための手段】
【０００４】
地下構造物の蓋の表面に、高さが一般の突部と同じである台形であって、水平の頂面に凹部を設けてなる突部を、前記一般の突部に介在して設け、車または人の通行による前記蓋の表面の摩耗の進行により、前記突部の頂面が摩耗して前記凹部が順次浅くなり、遂には前記凹部が消滅する変化を確認することにより、蓋の取り替え時期を知ることを可能とする。
【０００５】
地下構造物の蓋の表面に、高さが一般の突部と同じである台形であって、水平の頂面にその周縁で開口する溝を設けてなる突部を、前記一般の突部に介在して設け、車または人の通行による前記蓋の表面の摩耗の進行により、前記突部の頂面が摩耗して前記溝の深さが順次浅くなり、ついには前記溝が消滅する変化を確認することにより、蓋の取り替え時期を知ることを可能とする。
【０００６】
地下構造物の蓋の表面に、高さが一般の突部と同じである台形であって、水平の頂面の形状が底面の形状と非相似形の台形の突部を、前記一般の突部に介在して設け、車または人の通行による前記蓋の表面の摩耗の進行により、前記突部の頂面が摩耗して前記頂面の形状が変化して順次底面形状に近づき、遂には底面形状とぼぼ相似形の形状になる変化を確認することにより、蓋の取り替え時期を知ることを可能とする。
【考案の効果】
【０００７】
車や人の通行により、蓋の表面は摩耗して行く。この考案に係る突部を、蓋の表面の一般の突部と底面形状が同一で高さも同一の台形とし、一般の突部に介在、即ち、一般の突部の間に混ぜて、分散配設することにより、一般の突部と同様に摩耗する。
そして、この考案に係る突部は、摩耗の進行により、その頂面の凹部が順次浅くなり、ついには消滅するか、または、頂面の平面形状が変化し、ついには、底面形状と略相似形の形状になる。これらの摩耗変化は目で容易に確認でき、この変化の観察により、蓋の取り替えるべき時期を容易に知ることができる。
本件突部を配設した蓋の製造のための金型の製造が容易で、従来の突部形成のための金型製作よりも手数がかからず、費用も安くすむ。
【考案を実施するための最良の形態】
【０００８】
図１に示す突部１は、底面が六角形状の台形であって、水平の頂面２に平面形状が円形の凹部３を設けたものである。
凹部３は、ＡーＡ断面図（Ｂ）に示すように、筒状であってもよく、または、ＡーＡ断面図（Ｃ）に示すように、椀状の凹部であってもよい。
【０００９】
図２に示す突部４は、底面が円形の台形であって、水平の頂面５に平面形状が十字形の凹部６を設けたものである。
凹部６は、ＢーＢ断面図（Ｂ）に示すように、凹部壁面が垂直のものでもよく、または、図示していないが、Ｖ状のものでもよい。
【００１０】
底面形状が六角形の台形の代わりに、他の多角形の形状の台形でもよい。
また、凹部３、６の代わりに、多角形や−形状、Ｔ字形状等他の種々の形状の凹部を採用することができる。ただし、単純な形状の凹部が好ましい。
【００１１】
図３に示す突部７は、底面形状が円形の台形で、水平の頂面８に周縁で開口する十字形の溝９を設けたものである。
溝９は、図示するように、Ｖ字溝であってもよく、または、溝９の側壁が垂直のものであってもよい。
十字溝の代わりに、ー形状やＴ字形状等の溝であってもよい。
台形の形状は、底面形状が多角形状のものであってもよい。
【００１２】
図４に示す突部１０は、底面形状が円形で、水平の頂面１１がほぼ半円形の台形で、頂面１１の直線円より下方はゆるやかな曲面１２を形成する台形である。
突部１０の代わりに、底面形状が多角形の台形であってもよく、その場合には、水平の頂面は、底面多角形状と相似形の多角形の略半分の形状とする。
【００１３】
図５に示す突部１３は、底面の形状が円形で、水平の頂面１４が十字星形状の台形である。
底面形状は円形以外に多角形状であってもよく、または、頂面形状は十字星形状以外に星形、円形や多角形状等であってもよい。つまり、底面形状と頂面形状とを非相似形状とする。
【００１４】
上記の各突部の１種または複数種の突部を蓋の表面に、他の一般の突部に介在（混在）させて設ける。本件考案に係る突部は１個でもよいが、蓋の部分によって摩耗度が異なる場合があるので、複数個を蓋の表面に分散させて配設するのが好ましい。
蓋の上を車や人が通行するに従って蓋の突部の頂面は順次摩耗する。
【００１５】
突部１、４の場合には、頂面が摩耗すると、凹部３、６が順次浅くなり、遂には凹部３、６が消滅して頂面が平面となる。
凹部３が椀状の凹部の場合には、頂面の摩耗進行に従って、凹部３の平面形状の円形が小さくなって行き、ついには消滅する。
凹部６が、Ｖ字状の深さ形状の場合には、頂面の摩耗進行に従って、凹部の各部分の幅が順次細くなって行き、遂には消滅する。
凹部３、６の深さを蓋の取り替えるべき摩耗度に適合するように設計しておけば、頂面の摩耗変化を時々観察することにより、蓋の取り替えるべき時期を容易に知ることができる。
【００１６】
突部７を蓋の表面に他の一般の突部に介在させて設ける。頂面８が摩耗すると、溝９が順次浅くなり、遂には消滅して平面となる。溝がＶ字溝の場合には、摩耗の進行により順次幅が細く変化し、遂には消滅する。  溝９の深さを蓋の取り替えるべき摩耗度に適合するように設計しておけば、頂面の摩耗度を時々観察することにより、蓋の取り替えるべき時期を容易に知ることができる。
【００１７】
突部１０を蓋の表面に他の一般の突部に介在させて設ける。頂面１１の摩耗が進行すると、月が順次満ちて行くように、頂面形状が順次円形に近づき遂にはほぼ円形になる。
突部１０の１部は低い円形台部とし、その上方を曲面１２とすることにより、曲面１２部分が順次摩耗し、遂には頂面１１が円形となる。
曲面１２の高さを蓋の取り替えるべき摩耗度に適合するように設計しておけば、頂面１１の摩耗度を時々観察することにより、蓋の取り替えるべき時期を容易に知ることができる。
【００１８】
突部１３を蓋の表面に他の一般の突部に介在させて設ける。頂面１４が摩耗すると、頂面形状が四角を経て順次円形に近づく。
底面形状と頂面形状を異にした場合には、摩耗の進行により、頂面形状は変化し底面形状の相似形に近づく。
突部１３の高さを蓋の取り替えるべき摩耗度に適合するように設計しておけば、頂面の摩耗度を時々観察することにより、蓋の取り替えるべき時期を容易に知ることができる。
【図面の簡単な説明】
【００１９】
【図１】（Ａ）は突部の平面図であり、（Ｂ）はＡーＡ断面図であり、（Ｃ）は他の実施の形態き突部のＡーＡ断面図である。
【図２】他の実施の形態の突部の、（Ａ）は平面図であり、（Ｂ）はＢーＢ断面図である。
【図３】他の実施の形態の突部の、（Ａ）は平面図であり、（Ｂ）はＣーＣ断面図である。
【図４】他の実施の形態の突部の、（Ａ）は平面図であり、（Ｂ）はＤーＤ断面図である。
【図５】他の実施の形態の突部の、（Ａ）は平面図であり、（Ｂ）はＥーＥ断面図であり、（Ｃ）はＦーＦ断面図である。
【符号の説明】
【００２０】
１、４、７、１０、１３  突部
２、５、８、１１、１４  頂面
３、６  凹部
９  溝
１２  曲面
【図１】
0003102979.tif 000003
【図２】
0003102979.tif 000004
【図３】
0003102979.tif 000005
【図４】
0003102979.tif 000006
【図５】
0003102979.tif 000007